(57)【要約】【課題】送信器の電力効率を好適に最適化する方法およびその装置を提供する。【解決手段】送信器の電力効率は、送信器の選択された状況、たとえば、送信器において電力増幅器パラメータを制御することをによって最適化される。状況を制御することは、所望の平均送信電力の生成された指標に基づく。この指標に基づいて、ハードウェアパスは第１の調節信号（ｙ）を生成し、ソフトウェアパスは第２の調節値（ｙｉ）を生成する。ここで、第２の調節値は、校正を通して所望の平均送信電力の特定の指標に対応するために予め決められている。第１の調節信号に基づく第１の調節値（ｙｄ）と第２の調節値との間の差は、修正信号（ｘ）を生成するために用いられる。修正信号は、第１の調節信号を変更し、かつ送信器の選択された状況を制御するために用いられる。【選択図】図２
2005244996.tif 000002
【特許請求の範囲】
【請求項１】
送信器内において電力効率を最適化する効率最適化装置であって、
所望の平均送信電力の指標を生成するように動作可能な送信電力生成器と、
該所望の平均送信電力の指標に少なくとも部分的に基づいて、第１の調節信号を生成するように動作可能な信号変換器と、
該所望の平均送信電力の指標に少なくとも部分的に基づいて、第２の調節信号を生成し、該第１の調節信号と該第２の調節信号との間の差を決定し、該差に基づいて修正値を生成するように動作可能なプロセッサと、
該修正値と該第１の調節信号とに基づいてパラメータ信号を生成することにより、該送信器の動作状況を制御するように動作可能な加算器と
を備えたことを特徴とする、効率最適化装置。
【請求項２】
前記送信器の動作状況は、該送信器の電力増幅器の動作状況であることを特徴とする、請求項１に記載の効率最適化装置。
【請求項３】
前記所望の平均送信電力の指標に基づいてゲイン制御信号を生成するように動作可能なゲイン制御ユニットをさらに備え、
前記信号変換器は、該ゲイン制御信号に基づいて前記第１の調節信号を生成するように動作可能であることを特徴とする、請求項１または請求項２に記載の効率最適化装置。
【請求項４】
前記信号変換器は、前記ゲイン制御信号をスケーリングして前記第１の調節信号を生成するように動作可能なスケーリング装置であることを特徴とする、請求項３に記載の効率最適化装置。
【請求項５】
前記信号変換器は、少なくとも１つのクリッピングパラメータによって定義される伝達関数に従って前記ゲイン制御信号を処理することにより、前記第１の調節信号を生成するように動作可能な区分クリッパーであり、
該伝達関数は、該第１の調節信号が一定である該ゲイン制御信号のクリッピング値の少なくとも１つのレンジを含み、
該伝達関数は、該第１の調節信号が該ゲイン制御のスケールされたバージョンである該ゲイン制御信号のスケーリング値の少なくとも１つのレンジを含み、
該伝達関数は、連続関数であることを特徴とする、請求項３に記載の効率最適化装置。
【請求項６】
前記プロセッサは、
マッピングテーブルにおいて前記所望の平均送信電力の指標に対応する理想的な調節信号を決定することによって、前記第２の調節信号を生成するマッピング手続きと、
前記第１の調節信号と該理想的な調節信号との間の前記差を決定する減算手続きと、
該差を既に存在する値に加算して前記修正値を生成する蓄積手続きと
を包含することを特徴とする、請求項１から請求項５のいずれか一項に記載の効率最適化装置。
【請求項７】
前記差が制限値を超えないように該差を制限するクリッピング手続きをさらに包含することを特徴とする、請求項６に記載の効率最適化装置。
【請求項８】
初期値を前記蓄積器に供給するように適合された初期値メモリと、
出力レンジを有するデジタル・アナログ変換器であって、前記修正値を修正信号に変換するデジタル・アナログ変換器と
をさらに含むことを特徴とする、請求項６または請求項７に記載の効率最適化装置。
【請求項９】
前記初期値は、前記デジタル・アナログ変換器の前記出力レンジの中間値であることを特徴とする、請求項８に記載の効率最適化装置。
【請求項１０】
前記初期値は、前記修正信号の平均値であることを特徴とする、請求項８に記載の効率最適化装置。
【請求項１１】
前記平均値は、多数の同様な効率最適化装置における前記修正信号をスケーリングし、かつ平均化することによって、もしくは先の送信期間における前記修正信号をスケーリングすることによって決定されることを特徴とする、請求項１０に記載の効率最適化装置。
【請求項１２】
データ指標を受信し、該データ指標に基づいて平均電力に対するピーク電力の比を表す値を生成するように動作可能なマッパーと、
該値と前記所望の平均送信電力の指標との合計を生成するように動作可能な加算器と
をさらに備え、
前記プロセッサは、該合計に基づいて前記第２の調節信号を生成するように動作可能であることを特徴とする、請求項１から請求項５のいずれか一項に記載の効率最適化装置。
【請求項１３】
前記信号変換器は、配線デバイスであることを特徴とする、請求項１から請求項１２のいずれか一項に記載の効率最適化装置。
【請求項１４】
送信器内において電力効率を最適化する方法であって、
所望の平均送信電力の指標を生成するステップと、
該所望の平均送信電力の指標に基づいて、第１の調節信号を生成するステップと、
該所望の平均送信電力の指標に基づいて、第２の調節値を生成するステップと、
該第１の調節信号に基づく第１の調節値と該第２の調節値との間の差を決定するステップと、
該差に基づいて、修正値を生成するステップと、
該修正値と該第１の調節信号とに基づいてパラメータ信号を生成することにより該送信器の動作状況を制御するステップと
を包含することを特徴とする、電力効率を最適化する方法。
【請求項１５】
前記送信器の動作状況は、該送信器の電力増幅器の動作状況であることを特徴とする、請求項１４に記載の方法。
【請求項１６】
前記送信器は、ゲイン制御増幅器を含み、
前記所望の平均送信電力の指標に基づいて、該ゲイン制御増幅器のためのゲイン制御信号を生成するステップと、
該ゲイン制御信号に基づいて、前記第１の調節信号を生成するステップと
をさらに包含することを特徴とする、請求項１４または請求項１５に記載の方法。
【請求項１７】
マッピングテーブルにおいて前記所望の平均送信電力の指標に対応する理想的な調節値を決定することによって、前記第２の調節値を生成するステップをさらに包含することを特徴とする、請求項１４から請求項１６のいずれか一項に記載の方法。
【請求項１８】
前記第２の調節値を生成するステップは、
前記所望の平均送信電力の指標と平均電力に対するピーク電力の比の指標とを加算することによって、所望のピーク送信電力の指標を生成するステップと、
該所望のピーク送信電力の指標に基づいて、該第２の調節値を生成するステップと
をさらに包含することを特徴とする、請求項１４から請求項１６のいずれか一項に記載の方法。
【請求項１９】
前記修正値を修正信号に変換するステップと、
該修正信号と前記第１の調節信号とに基づいて前記パラメータ信号を生成することにより前記送信器の動作状況を制御するステップと
をさらに包含することを特徴とする、請求項１４から請求項１８のいずれか一項に記載の方法。
【発明の詳細な説明】
【技術分野】
【０００１】
本発明は、ワイヤレス送信器における電力効率に関し、特に、送信器の電力効率を最適化する方法と装置に関する。
【背景技術】
【０００２】
充電寿命または電力効率はワイヤレス通信装置と多くの他タイプのワイヤレス送信器に対する主要な性能基準である。電力効率は、ワイヤレス通信装置が従来の音声サービスよりも多くの電力を消費するマルチメディアサービスを提供するにつれてより一層重要性を増してきた。ワイヤレス通信装置の送信器構成部分の効率を向上させることは、そのような装置の性能を向上させる点で重要な役割を果たす。
【０００３】
向上した電力効率の必要性に関するある局面においては、Ｃｏｄｅ  Ｄｉｖｉｓｉｏｎ  Ｍｕｌｔｉｐｌｅ  Ａｃｃｅｓｓ（ＣＤＭＡ）、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（ＯＦＤＭ）、およびマルチキャリア変調の他タイプ、およびそれらを組み合わせたもののような新しい変調方法は、送信電力において、高ＰＡＰＲ（Ｐｅａｋ  ｔｏ  Ａｖｅｒａｇｅ  Ｐｏｗｅｒ  Ｒａｔｉｏ；平均電力に対するピーク電力の比）を示す。さらに、ＰＡＰＲは時間と共に変化し、送信データ形式の構成に依存する。そのようにＰＡＰＲの値が高くて可変することから、送信器（電力増幅器を含む）は広いダイナミックレンジと十分に直線性を提供することを要求される。
【０００４】
向上した電力効率の必要性に関するもう１つの局面では、ｃｄｍａ２０００、１ｘＥＶ−ＤＯ（１ｘ  Ｅｖｏｌｕｔｉｏｎ  Ｄａｔａ  Ｏｎｌｙ）、１ｘＥＶ−ＤＶ（１ｘ  Ｅｖｏｌｕｔｉｏｎ  Ｄａｔａ  ａｎｄ  Ｖｏｉｃｅ）およびＵｎｉｖｅｒｓａｌ  Ｍｏｂｉｌｅ  Ｔｅｌｅｃｏｍｍｕｎｉｃａｔｉｏｎｓ  Ｓｅｒｖｉｃｅ（ＵＭＴＳ）のような多くの通信標準において、送信電力は広いレンジで変化するよう制御されることが要求されており、たとえば、ｃｄｍａ２０００の装置では、送信電力は−５０ｄＢｍより低いレンジから２３ｄＢｍより高いレンジで変化するよう制御されることが要求される。さらに、電力およびＰＡＰＲの変化速度も非常に速い。たとえば、ｃｄｍａ２０００では、電力の変化速度は毎秒８００ｄＢまでであり、ＰＡＰＲは毎２０ミリ秒で変化し得る。このような条件の中で電力消費における効率を損なうことなく、送信器が十分機能するよう設計することに取り組む価値がある。
【０００５】
変化する送信電力および／または変化するＰＡＰＲ送信器において送信器の効率を向上させる従来の方法では、送信回路は１つ以上の制御ポートを提供し、継続性の様式および／またはデジタル様式における送信回路内で、あるパラメータを制御する。送信回路内のパラメータは、所定の条件における効率のために交換され得る物理量であり得る。
【０００６】
制御ポートは、バイアス、電源電圧、ステージにおけるスイッチ切り替え、およびこれらを組み合わせたものを含む（この限りではないが）パラメータを制御することができる。特に、電力増幅器内の増幅装置のそれぞれまたはいくつかに対するバイアスは制御され得る。この目的は、バイアスが、上記したように所定の要求によって、帯域スプリアス放射から制限するために必要な量以上にならないよう制御することと、与えられた送信電力毎に波形の質および／またはサポートされたレンジにおけるＰＡＰＲの値を維持することである。送信器における電力増幅器および／または他の回路の全ステージまたは選択されたステージに対する電源電圧は制御され、そのため電圧は抵抗式でない電圧制御方法（たとえば、スイッチング電源）によって回路に（少なくとも一部で）供給されて、省電力の恩恵を得ることができる。この目的は、電圧が、上記したように所定の要求によって、帯域スプリアス放射から制限するために必要な量以上にならないよう制御することと、与えられた送信電力毎に波形の質および／またはサポートされたレンジにおけるＰＡＰＲの値を維持することである。また、選択されたステージは、送信電力および／またはＰＡＰＲの値に従ってスイッチを切り替えされ得る。
【０００７】
これら従来の方法から示された利点があるのにもかかわらず、送信器の電力効率の最適化は著しく注目され続けている。
【発明の開示】
【発明が解決しようとする課題】
【０００８】
本発明の課題は、送信器の電力効率を好適に最適化する方法およびその装置を提供することにある。
【課題を解決するための手段】
【０００９】
送信器の電力効率を最適化する方法およびその装置では、ハードウェアに実装されている送信器パラメータの高速近似調節は、送信器パラメータのフィードバック修正調節と組み合わさっており、フィードバック修正調節はソフトウェアに実装されている。ソフトウェアベースのフィードバック修正調節は、ハードウェアベースの高速近似調節よりも遅いが、より正確である。
【００１０】
本発明の一局面によると、送信器において電力効率を最適化する効率最適化装置が提供される。効率最適化装置は、所望の平均送信電力の指標（ｉｎｄｉｃａｔｉｏｎ）を生成するように動作可能な送信電力生成装置、所望の平均送信電力の指標に少なくとも部分的に基づいて、第１の調節信号を生成するように動作可能な信号変換器、プロセッサ、および加算器を備える。プロセッサは、所望の平均送信電力の指標に少なくとも部分的に基づいて、第２の調節信号を生成し、該第１の調節信号と該第２の調節信号との間の差を決定し、該差に基づいて修正値を生成するように動作可能である。加算器は、修正値と第１の調節信号とに基づいてパラメータ信号を生成することにより、送信器の動作状況を制御するように動作可能である。
【００１１】
本発明のもう１つの局面によると、送信器において電力効率を最適化する方法が提供される。この方法には、所望の平均送信電力の指標を生成するステップと、所望の平均送信電力の指標に基づいて、第１の調節信号を生成するステップと、所望の平均送信電力の指標に基づいて、第２の調節値を生成するステップと、第１の調節信号に基づく第１の調節値と第２の調節値との差を決定するステップと、その差に基づいて修正値を生成するステップと、修正値と第１の調節信号とに基づいてパラメータ信号を生成することにより送信器の動作状況を制御するステップとが含まれる。
（要約）
送信器の電力効率は、送信器の選択された状況、たとえば、送信器において電力増幅器パラメータを制御することを通して最適化される。状況を制御することは、所望の平均送信電力の生成された指標に基づく。この指標に基づいて、ハードウェアパスは第１の調節信号を生成し、ソフトウェアパスは第２の調節値を生成する。ここで、第２の調節値は、校正を通して所望の平均送信電力の特定の指標に対応するために予め決められている。第１の調節信号に基づく第１の調節値と第２の調節値との間の差は、修正信号を生成するために用いられる。修正信号は、第１の調節信号を変更し、かつ送信器の選択された状況を制御するために用いられる。
【００１２】
従って、１つの局面において、本発明は、送信器内において電力効率を最適化する効率最適化装置であって、
所望の平均送信電力の指標を生成するように動作可能な送信電力生成器と、
該所望の平均送信電力の指標に少なくとも部分的に基づいて、第１の調節信号を生成するように動作可能な信号変換器と、
該所望の平均送信電力の指標に少なくとも部分的に基づいて、第２の調節信号を生成し、該第１の調節信号と該第２の調節信号との間の差を決定し、該差に基づいて修正値を生成するように動作可能なプロセッサと、
該修正値と該第１の調節信号とに基づいてパラメータ信号を生成することにより、該送信器の動作状況を制御するように動作可能な加算器と
を備えたことを特徴とする、効率最適化装置、を提供する。
【００１３】
１つの実施形態において、前記送信器の動作状況は、該送信器の電力増幅器の動作状況であることを特徴とする。
【００１４】
好ましい実施形態において、前記所望の平均送信電力の指標に基づいてゲイン制御信号を生成するように動作可能なゲイン制御ユニットをさらに備え、
前記信号変換器は、該ゲイン制御信号に基づいて前記第１の調節信号を生成するように動作可能であることを特徴とする。
【００１５】
さらに好ましい実施形態において、前記信号変換器は、前記ゲイン制御信号をスケーリングして前記第１の調節信号を生成するように動作可能なスケーリング装置であることを特徴とする。
【００１６】
別の好ましい実施形態において、前記信号変換器は、少なくとも１つのクリッピングパラメータによって定義される伝達関数に従って前記ゲイン制御信号を処理することにより、前記第１の調節信号を生成するように動作可能な区分クリッパーであり、
該伝達関数は、該第１の調節信号が一定である該ゲイン制御信号のクリッピング値の少なくとも１つのレンジを含み、
該伝達関数は、該第１の調節信号が該ゲイン制御のスケールされたバージョンである該ゲイン制御信号のスケーリング値の少なくとも１つのレンジを含み、
該伝達関数は、連続関数であることを特徴とする。
【００１７】
さらに好ましい実施形態において、前記プロセッサは、
マッピングテーブルにおいて前記所望の平均送信電力の指標に対応する理想的な調節信号を決定することによって、前記第２の調節信号を生成するマッピング手続きと、
前記第１の調節信号と該理想的な調節信号との間の前記差を決定する減算手続きと、
該差を既に存在する値に加算して前記修正値を生成する蓄積手続きと
を包含することを特徴とする。
【００１８】
さらに好ましい実施形態において、前記差が制限値を超えないように該差を制限するクリッピング手続きをさらに包含することを特徴とする。
【００１９】
さらに好ましい実施形態において、本発明の効率最適化装置は、初期値を前記蓄積器に供給するように適合された初期値メモリと、
出力レンジを有するデジタル・アナログ変換器であって、前記修正値を修正信号に変換するデジタル・アナログ変換器と
をさらに含むことを特徴とする。
【００２０】
さらに好ましい実施形態において、前記初期値は、前記デジタル・アナログ変換器の前記出力レンジの中間値であることを特徴とする。
【００２１】
さらに好ましい実施形態において、前記初期値は、前記修正信号の平均値であることを特徴とする。
【００２２】
さらに好ましい実施形態において、前記平均値は、多数の同様な効率最適化装置における前記修正信号をスケーリングし、かつ平均化することによって、もしくは先の送信期間における前記修正信号をスケーリングすることによって決定されることを特徴とする。
【００２３】
さらに好ましい実施形態において、本発明の効率最適化装置は、
データ指標を受信し、該データ指標に基づいて平均電力に対するピーク電力の比を表す値を生成するように動作可能なマッパーと、
該値と前記所望の平均送信電力の指標との合計を生成するように動作可能な加算器と
をさらに備え、
前記プロセッサは、該合計に基づいて前記第２の調節信号を生成するように動作可能であることを特徴とする。
【００２４】
さらに好ましい実施形態において、前記信号変換器は、配線デバイスであることを特徴とする。
【００２５】
別の局面において、本発明は、送信器内において電力効率を最適化する方法であって、
所望の平均送信電力の指標を生成するステップと、
該所望の平均送信電力の指標に基づいて、第１の調節信号を生成するステップと、
該所望の平均送信電力の指標に基づいて、第２の調節値を生成するステップと、
該第１の調節信号に基づく第１の調節値と該第２の調節値との間の差を決定するステップと、
該差に基づいて、修正値を生成するステップと、
該修正値と該第１の調節信号とに基づいてパラメータ信号を生成することにより該送信器の動作状況を制御するステップと
を包含することを特徴とする、電力効率を最適化する方法、を提供する。
【００２６】
１つの実施形態において、前記送信器の動作状況は、該送信器の電力増幅器の動作状況であることを特徴とする。
【００２７】
好ましい実施形態において、前記送信器は、ゲイン制御増幅器を含み、
前記所望の平均送信電力の指標に基づいて、該ゲイン制御増幅器のためのゲイン制御信号を生成するステップと、
該ゲイン制御信号に基づいて、前記第１の調節信号を生成するステップと
をさらに包含することを特徴とする。
【００２８】
さらに好ましい実施形態において、マッピングテーブルにおいて前記所望の平均送信電力の指標に対応する理想的な調節値を決定することによって、前記第２の調節値を生成するステップをさらに包含することを特徴とする。
【００２９】
さらに好ましい実施形態において、前記第２の調節値を生成するステップは、
前記所望の平均送信電力の指標と平均電力に対するピーク電力の比の指標とを加算することによって、所望のピーク送信電力の指標を生成するステップと、
該所望のピーク送信電力の指標に基づいて、該第２の調節値を生成するステップと
をさらに包含することを特徴とする。
【００３０】
さらに好ましい実施形態において、本発明の方法は、
前記修正値を修正信号に変換するステップと、
該修正信号と前記第１の調節信号とに基づいて前記パラメータ信号を生成することにより前記送信器の動作状況を制御するステップと
をさらに包含することを特徴とする。
【発明を実施するための最良の形態】
【００３１】
本発明に関するその他の局面と特徴とは、添付の図面と共に下記の本発明に関する特定の実施形態の説明によって当業者にとって明確になる。
【００３２】
図１は、ワイヤレス通信装置１００のブロック図であり、送信器１０２、受信器１１０、および１つ以上のアンテナ１０６、１０７を含む。さらに、送信器の電力効率最適化装置１０４は、送信器１０２の電力効率を最適化するために送信器１０２へ入力を供給する。受信器１１０の主な出力は、通信装置機能１１２が使用するために受信され、通信装置機能１１２には、たとえば、音声またはデータのアプリケーションが含まれ得るが、そのような機能は本アプリケーションに密接に関係しているものではないのでさらなる詳細は省略されている。受信器１１０の第２の出力は後述するように、送信器の電力効率最適化装置１０４が使用するために受信される。チャンネルの符号器および変調器１０８は、通信装置機能１１２から信号を受信し、送信器１０２に送信するための信号を提供し得る。そして、送信器１０２に提供された信号のデータフォーマットの指標を送信器の電力効率最適化装置１０４に提供し得る。図１におけるワイヤレス通信装置１００の主な構成装置は、図を明白にするために省略されていることは当業者には理解される。
【００３３】
ワイヤレス通信装置１００の特定の設計と実施は、ワイヤレス通信装置１００が動作する通信ネットワークに依存する。たとえば、ワイヤレス通信装置１００は、ＭｏｂｉｔｅｘＴＭ、ＤａｔａＴＡＣＴＭ、またはＧｅｎｅｒａｌ  Ｐａｃｋｅｔ  Ｒａｄｉｏ  Ｓｅｒｖｉｃｅ（ＧＰＲＳ）のモバイル・データ通信ネットワークと動作するように設計されることが可能であり、ＡＭＰＳ、ＴＤＭＡ、ＣＤＭＡ、ＰＣＳ、ＧＳＭ、ＵＭＴＳ等のような様々な音声通信ネットワークのいずれかと動作するように設計されることも可能である。データと音声ネットワークのその他のタイプも、分離型でも統合型でも、ワイヤレス通信装置１００に利用され得る。
【００３４】
図２は、送信器１０２の一部分と効率最適化装置１０４の詳細図である。特に、送信器１０２はＡＧＣ増幅器２０８を備えるものと示されており、ＡＧＣ増幅器２０８の出力は電力増幅器２１４が受信し、電力増幅器２１４の出力はアンテナ１０６（図１）が受信する。効率最適化装置１０４の部分として、送信電力生成器２０２は受信器１１０から電力制御信号を受信する。電力制御信号はベースステーションからのクローズドループ電力制御指標とオープンループ電力制御に対する受信した信号の強度指標（ＲＳＳＩ）とを含むことが可能であり、さらに干渉に対するパイロット強度比（ｐｉｌｏｔ  ｓｔｒｅｎｇｔｈ  ｔｏ  ｉｎｔｅｒｆｅｒｅｎｃｅ  ｒａｔｉｏ）信号もまたオープンループ電力制御に対して含み得る。電力制御信号に少なくとも部分的に基づいて、送信電力生成器２０２はアンテナ１０６で期待される所望の平均送信電力値「Ｔｘ＿ｐｗｒ」（ｄＢｍまたはｄＢｍにおける電力に比例した単位で）を提供する。
【００３５】
Ｔｘ＿ｐｗｒ値は送信電力生成器２０２によってゲイン制御装置２０４に提供される。ゲイン制御装置２０４の出力はゲインＤ／Ａ変換器２０６によってデジタルからアナログに変換され、送信器１０２のＡＧＣ増幅器２０８に提供される。ゲインＤ／Ａ変換器２０６の出力は信号変換器にも提供され、ここでＡＧＣ増幅器２０８に提供された信号を電力増幅器２１４のパラメータを制御するために使用され得る信号の近似値である調整信号に変換される。図２の実施形態では、信号変換器は最適化スケーリング装置２１０である。最適化スケーリング装置２１０のスケーリングする要素Ｓは、図７に関して後述する設計段階において決定される。
【００３６】
効率最適化装置１０４によって制御される電力増幅器２１４のパラメータは、ダイナミックレンジ、ゲイン、バイアスまたは零入力電流、導通角、電源電圧、充電デューティ周期、負荷、またはインピーダンスであり得るが、この限りではない。
【００３７】
最適化スケーリング装置２１０の出力は調節信号加算器２１２で修正信号「ｘ」（以下で説明される）と加算され、調節信号加算器２１２の出力信号は、ここで「ｙ」と呼ばれる電力増幅器パラメータ信号であるが、電力増幅器２１４および／または送信器１０２の他の部品（図示されていない）が受信する。そのような送信器１０２の他の部品は、たとえば、電力増幅器２１４用のスイッチング電源であり得る。さらに、電力増幅器パラメータ信号ｙはＡ／Ｄ変換器２１６によってアナログ信号からデジタル信号「ｙｄ」に変換される。
【００３８】
非線形マッパー２１８は、Ｔｘ＿ｐｗｒの関数としてｙｄの所望値である、図ではｙｉと記された値を含むマッピングテーブルを格納する。非線形マッパー２１８は、送信電力生成器２０２からＴｘ＿ｐｗｒ値を与えられて、ｙｄへの所望値ｙｉを決定し出力する。ｙｉと、Ａ／Ｄ変換器２１６によって供給されたｙｄの値との間の差は減算器２２０によって決定される。
【００３９】
その差はクリッパー２２２によって制限されるため、クリッパー２２２の出力において、その差の制限された値は制限値Ｄｍａｘを超えない。その差の制限された値は蓄積器（アキュムレータ）２２４に提供され、蓄積器２２４のデジタル出力はＡＣＣ  Ｄ／Ａ変換器２２８によってアナログ修正信号ｘに変換される。
【００４０】
送信器１０２がちょうどオンにされたとき、蓄積器の第１の出力値は「初期値」であり、これは初期値メモリ２２６に記憶され得る定数として予め決められている。
【００４１】
図３は、代替の効率最適化装置３０４の図であり、ここでは信号変換器が区分（ｐｉｅｃｅｗｉｓｅ）クリッパー３１０である。従って、代替の効率最適化装置３０４におけるゲインＤ／Ａ変換器２０６の出力は、区分クリッパー３１０に提供されて、区分クリッパー３１０の出力は、調節信号加算器２１２で修正信号ｘと加算されて、送信器１０２の電力増幅器２１４が受信する電力増幅器パラメータ信号ｙを生成する。区分クリッパー３１０は、ワイヤレス通信装置１００においてマイクロプロセッサまたは制御装置（図示されていない）から予め決められて固定されるか、またはプログラムされるかのいずれかが可能である。前者の場合、パラメータはワイヤレス通信装置１００の設計段階において最適化され決定される。後者の場合、送信器１０２の動作温度、その送信器１０２に電力を供給するバッテリ（図示されていない）のバッテリパラメータ、送信器１０２の送信周波数、および／またはチャンネル符号器および変調器１０８から提供される信号のデータフォーマットの指標（図１でしめされるように）のような動作中に変化する条件に応じてリアルタイムでプログラム化することが可能である。
【００４２】
図４は、区分クリッパー３１０の入出力の伝達関数に関する実施例である。図示されるように、区分クリッパー３１０がプログラム可能な場合、プログラム可能なパラメータは、低クリッピングレベルＡ、高クリッピングレベルＢ、低屈曲点Ｃ、高屈曲点Ｄおよび／または傾斜スロープｋ（これら全てのパラメータは独立ではない）を含み得る。その他の区分的に区切る処理も適切に使用することができる。実施の詳細は当業者にはよく知られているため説明しない。
【００４３】
図５は、図２の実施形態または図３の実施形態のどちらか一方に適用され得る、もう１つの代替の実施形態の図である。さらに別の代替の効率最適化装置５０４は、送信電力生成器２０２と、図２と図３との効率最適化装置１０４と３０４とで周知の非線形マッパー２１８とを備える。しかし、送信電力生成器２０２と非線形マッパー２１８への入力との間が直接接続されているのではなく、送信電力加算器５０６が送信電力生成器２０２の出力を受信し、非線形マッパー２１８に送電電力発生器２０２の出力とＰＡＰＲマッパー５０２から受信した入力信号との合計を提供する。ＰＡＰＲマッパー５０２はデータ符号器および変調器１０８（図１）からデータ指標ｒを受信する。ＰＡＰＲマッパー５０２は、チャンネルの符号器および変調器１０８の送信信号のＰＡＰＲ値をデータ指標ｒに関連付けるマッピングテーブルを含む。ＰＡＰＲマッパーの出力値は、送信電力生成器２０２の出力において使用したものと同じ要素としてｄＢまたはｄＢに比例する値であることが好ましい。あるいは、送信電力生成器２０２とＰＡＰＲマッパー５０２との出力は線形スケールにもなり得る。線形スケールが使用された場合、送信電力加算器５０６は乗算器と交換される必要がある。
【００４４】
概要では、送信器１０２の電力効率は、送信器１０２の動作から選択された側面の制御、たとえば、電力増幅器２１４のパラメータを制御することによって最適化される。パラメータを制御することは、少なくとも部分的に、所望の平均送信電力の生成された指標に基づいている。この指標に基づいて、ハードウェアパスはアナログの第１の調節信号と対応するデジタルの第１の調節値とを生成し、ソフトウェアパスはデジタルの第２の調節値を生成し、ここで第２の調節値は校正を通して所望の平均送信電力の特定の指標に対応するよう予め決定される。第１の調節値と第２の調節値との間の差を用いて修正値を生成し、修正値を修正信号に変換した後、修正信号を用いて第１の調節信号を変更し、送信器１０２の動作から選択された側面を制御するために信号を生成する。
【００４５】
図２に関する操作では、所望の平均送信電力であるＴｘ＿ｐｗｒ値は送信電力生成器２０２によってゲイン制御装置２０４に提供される。送信電力生成器２０２は、ワイヤレス通信装置１００が送信しているベースステーションから受信器と通信によって提供される情報に基づいた所望の平均送信電力を生成し得る。ワイヤレス通信装置が、受信（ｆｏｒｗａｒｄ）リンク（またはアップ回線）ワイヤレスチャンネルの特徴に適合するベースステーションから送信（ｒｅｖｅｒｓｅ）リンク（または下り回線）の受信した信号の特性を使用することが可能であることと、ベースステーションが受信リンク（またはアップ回線）におけるベースステーションに対するワイヤレス装置からのワイヤレスチャンネルの特徴に適合するために関連するワイヤレス装置に電力制御信号をさらに通信することが可能であることはよく知られている。そのような電力制御方法は、オープンループ電力制御方法、クローズドループ電力制御方法および／または他に知られた電力制御方法に関連し得る。
【００４６】
オープンループ電力制御をもって、ワイヤレス装置は、たとえば、受信した合計の信号強度、干渉に対するパイロット信号強度の比、および所望の平均送信電力を測定して調節させる内部のアルゴリズムを使用し得る。オープンループ電力制御を用いて発生する平均送信電力は、効率的に継続性に基づいて、ワイヤレス通信装置１００がベースステーションから受信するクローズドループ電力制御信号によってさらに調節され得る。これらの電力制御信号と方法は、本発明の分野では良く知られているためさらに説明はしない。
【００４７】
ワイヤレス通信装置１００の電力制御が時間とともに変化するため、所望の平均送信電力、Ｔｘ＿ｐｗｒは時間とともに変化する。特に、Ｔｘ＿ｐｗｒ値は速く変化し得る。たとえば、周知のｃｄｍａ２０００標準に従うと、アップデートは１．２５ミリ秒毎に生じる（このため、送信電力生成器２０２は新しいＴｘ＿ｐｗｒ値を発生することができる）。
【００４８】
ゲイン制御装置２０４は、データフォーマットの変更、非線形マッピング、アップデート率の変更等のような機能を行い得るが、この限りではない。ゲイン制御装置２０４は本発明の分野で十分に知られているため、ここではさらに詳述されない。ゲイン制御装置２０４の出力は、ゲインＤ／Ａ変換器２０６によって、デジタルサンプル値セットからアナログ送信器の自動ゲイン制御信号「Ｔｘ＿ＡＧＣ」信号に変換される。次いで、Ｔｘ＿ＡＧＣ信号は、送信器１０２のゲインを制御するためにＡＧＣ増幅器２０８に提供される。Ｔｘ＿ＡＧＣ信号は最適化スケーリング装置２１０にも提供される。
【００４９】
最適化スケーリング装置２１０の出力におけるＴｘ＿ＡＧＣ信号のスケールされたバージョンは、つまり、特定の所望の平均送信電力用に最適化された電力増幅器パラメータ信号の所望値への近似値（図７とともに以下で説明されるように）は、調節信号加算器２１２で修正信号ｘと加算され、電力増幅器パラメータ信号ｙを生成する。電力増幅器パラメータ信号ｙは特定の所望の平均送信電力用に最適化された電力増幅器パラメータに関する向上したスケーリングと考慮され得る。さらに、電力増幅器パラメータ信号ｙは、Ａ／Ｄ変換器２１６によって調節信号加算器２１２の出力においてアナログ信号からデジタル信号ｙｄに変換される。
【００５０】
非線形マッパー２１８は、送信電力生成器２０２によるＴｘ＿ｐｗｒ出力の関数としてｙｄの所望値を含むマッピングテーブルを格納する。これらの所望値を決定する方法については後述される。送信器１０２がオンの状態である間、Ｔｘ＿ｐｗｒの値はプロセッサ２３０によってサンプリングされて、周期的に、たとえば、２０ミリ秒毎に非線形マッパー２１８に送信され、非線形マッパー２１８はＴｘ＿ｐｗｒの値を用いて補間値ｙｉを決定する。
【００５１】
補間値ｙｉと、電力増幅器２１４に供給されたアナログ電力増幅器パラメータ信号を表す、デジタル信号をサンプリングした瞬時値ｙｄとの間の差（ｙｉ−ｙｄ）は減算器２２０によって決定される。その差はクリッパー２２２によって制限され得るため、クリッパー２２２の出力においてクリップ値は制限値±Ｄｍａｘを超えない。以下でより詳細に説明されるように設計段階において最適化されるＤｍａｘ値の選択により、クリッパーを使用することは本発明を実施する際に任意であり得る。クリッパー出力値は、プラスでもマイナスでもあり得るが、デジタル修正信号値を改善するために、蓄積器２２４に既に記憶された前の値と加算される。続いて、このデジタル修正信号値はＡＣＣ  Ｄ／Ａ変換器２２８によってアナログ修正信号ｘに変換される。
【００５２】
初期値メモリ２２６によって蓄積器２２４に供給された初期値に対する推奨値は、ＡＣＣ  Ｄ／Ａ変換器２２８の出力レンジの中間値である。その後、多数の装置を介して平均化される修正信号ｘの測定平均値として取得される特徴付けられた値は、初期値として使用するために初期値メモリ２２６によって記憶されることもできる。
【００５３】
送信中、オープンループおよび／またはクローズドループ電力制御に従って生成されたＴｘ＿ｐｗｒから生じるＴｘ＿ＡＧＣ信号における継続的な変化により、アンテナ１０６で送信された電力への継続的な調節が生じる。一方で、Ｔｘ＿ＡＧＣ信号における変化により、電力効率を最適化することとされている電力増幅器パラメータ信号ｙにおける変化を引き起こす。任意のＴｘ＿ｐｗｒ値において、フィードバックパスはＡ／Ｄ変換器２１６を介して適用された電力増幅器パラメータ信号ｙを伝送する。伝送された値ｙｄは、所定のＴｘ＿ｐｗｒ値において非線形マッパー２１８から決定される予め記憶された補間値ｙｉと比較される。報告された値と補間値との間の差がゼロであると決定された場合、適用された電力増幅器パラメータ信号ｙは最適であると考えられ、修正を要求しないと決定される。しかし、その差がゼロではない場合、その差を用いて修正信号ｘを生成して電力増幅器パラメータ信号ｙを修正し、差がゼロになるまで差を減らすよう反復される。
【００５４】
特に、非線形マッパー２１８、減算器２２０、クリッパー２２２および蓄積器２２４による修正の必要性と程度を決定することは、マイクロプロセッサ上で起動するソフトウェア内で実施され得る。従って、図２および図３において、これら構成要素はプロセッサ２３０に取り囲まれているものと図示されている。
【００５５】
所望の送信電力が急速に変化すると、ハードウェアに実装された信号変換器（たとえば、最適化スケーリング装置２１０）は、新しい送信電力に対応する信号ｙにおける所望の電力増幅器パラメータ値への近似値を生成し得る。非線形マッパー２１８は、遅延の後に、新しい送信電力に対応する電力増幅器パラメータ信号ｙのために所望値ｙｉを生成し得る。非線形マッパー２１８が生成するｙｉの値は、信号変換器が生成する近似値よりも一般的に正確であることから、効率最適化装置１０４のハードウェアの側面とソフトウェアの側面とにはそれぞれ強みがあると思われ得る。ハードウェアの側面は対応速度において強みがあり、ソフトウェアの側面は正確さという点において強みがある。
【００５６】
図６に示されるように、非線形マッパー２１８における検索テーブルの値は、設計段階の間に数台のサンプル装置を特徴づけることによって最適化される。はじめに、電力レベルが選択される（ステップ６０２）。その後、ワイヤレス通信装置１００において、選択された電力レベルで送信が行われる（ステップ６０４）。選択された電力レベルは、ゲインＤ／Ａ変換器２０６においてＴｘ＿ＡＧＣ値を制御することによって維持され、その一方で、電力増幅２１４の出力において帯域スプリアス放射出力をモニタする。電力増幅２１４の出力において帯域スプリアス放射出力をモニタし続ける一方で、電力増幅器パラメータ信号ｙは変化し（ステップ６０６）、帯域スプリアス放射出力が、そのような放射の所定の設計目標に、またはその近傍にあると決定されるまで変化する（６０８）。電力増幅器パラメータ信号ｙは、ＡＣＣ  Ｄ／Ａ変換器２２８において修正信号ｘの値を調節することによって変化し得る（ステップ６０６）、その一方で、電力増幅器パラメータ信号ｙは一定の出力電力を維持しており、これによりＴｘ＿ＡＧＣ値を再度調節することが要求され得る。帯域スプリアス放射出力が一度目標値に達すると、ｙｄ値、つまりアナログ電力増幅器パラメータ信号ｙのデジタル値が記録され得る（ステップ６１０）。
【００５７】
アナログ電力増幅器パラメータ信号ｙのデジタル値ｙｄは電力レベルのレンジ用に記録され得る。電力レベルのレンジと電力レベルの増分を決定する電力の最低レベルと最高レベルのような特徴づけパラメータは、そのような特徴づけを開始する前に決定され得る。
【００５８】
アナログ電力増幅器パラメータ信号ｙのデジタル値が、最初の電力レベルと関連して記録される（ステップ６１０）と、電力レベルの全レンジが考慮されたか否かが決定される（ステップ６１２）。電力レベルの全レンジが考慮されていないと決定された場合、そのレンジにおける次の電力レベルが、一般的には前の電力レベルに対して電力レベルの増分を足して選択される（ステップ６１４）。この次の電力レベルにおける送信（ステップ６０４）は開始され、帯域スプリアス放射出力が所定の設計目標にまたはその近傍にあるための、アナログ電力増幅器パラメータ信号ｙのデジタル値を決定し記録するために、さらなるステップ（ステップ６０６〜６１２）を踏む。
【００５９】
第１のサンプル装置に対して電力レベルのレンジ全体が考慮されると、図６の方法は他に数台のサンプル装置に対して繰り返される。サンプル装置セットに対して電力レベルのレンジ全体が考慮されると、Ｔｘ電力の関数としてｙｄの記録された値の平均（特徴付けられたサンプル装置セットの全体を平均したもの）を含むマッピングテーブルが編集される。マッピングテーブルは非線形マッパー２１８に格納される。
【００６０】
非線形マッパー２１８に格納されたＴｘ＿ｐｗｒとｙｉとの関係は曲線を表すものと考えられ得る。所定のＴｘ＿ｐｗｒ値に対して、曲線の一方側にある電力増幅器パラメータの値は、放射の所定の設計目標よりも大きい帯域スプリアス放射出力を導き、曲線の他方側にある値は、所定の設計目標よりも小さい。
【００６１】
図７で示すように、最適化スケーリング装置２１０はスケーリング要素Ｓによって特徴づけられ、数台の装置を特徴づけることによって最適化され得る。はじめに、修正信号ｘを提供するフィードバックループは無効であるため、電力増幅器パラメータ信号ｙの値は完全に最適化スケーリング装置２１０によって決定される。フィードバックループは、初期値メモリ２２６で使用される初期値と等しい一定値をＡＣＣ  Ｄ／Ａ変換器２２８に提供することによって無効になり得る。スケーリング要素Ｓの初期の推測値は選択され（ステップ７０４）、続いて初期のＴｘ＿ｐｗｒ値が選択される（ステップ７０６）。ｙｄ値、つまりアナログ電力増幅器パラメータｙのデジタル値は、選択されたＴｘ＿ｐｗｒ値に関連して記録される（ステップ７０８）。電力増幅器２１４からの送信電力の出力値もまた記録されて、装置の出力電力のレンジ全体が考慮されたか否か決定される（ステップ７１０）。
【００６２】
装置の出力電力のレンジ全体が考慮されていない場合、Ｔｘ＿ｐｗｒ値は増分し（ステップ７１２）、ｙｄとＴｘ＿ｐｗｒとの値は再び記録される（ステップ７０８）。装置の出力電力のレンジ全体が考慮された場合、Ｔｘ＿ｐｗｒ値に関連した電力増幅器パラメータ信号ｙのために決定されたデジタル値のテーブルは、非線形マッパー２１８の検索テーブルにおける全体を最適化するときに作成された同様のテーブルと比較される。
【００６３】
スケーリング要素を選択することでこれらのテーブルの差が最小化されたか否かが決定される（ステップ７１４）。その差が最小化されていない場合、新しいスケーリング要素がテーブルの差に基づいて選択され（ステップ７１６）、電力増幅器パラメータをＴｘ＿ｐｗｒ値に関連付けるテーブルの作成（ステップ７０６、７０８、７１０、７１２）が繰り返される。その差が最小化された場合、その方法は完成したと考えられ、差を最小化したスケーリング要素はこの特定の装置に対する最適なスケーリング要素であると考えられる。
【００６４】
第１のサンプル装置に対して電力レベルのレンジ全体が考慮されると、図７の方法はその他数台のサンプル装置に対して繰り返され得る。結果として生じる最適なスケーリング要素からスケーリング要素のうち最もアッグレッシブではないスケーリング要素が、本発明の局面を採用する製品を実施するための最適化スケーリング装置２１０への使用に選択される。
【００６５】
クリッパー２２２のクリッピング値であるＤｍａｘは、アップデートの速度と電力増幅器パラメータへの制御の感度に基づいて選択され得る。クリッピング値は、満足できるトラッキング速度を提供しながら、フィードバックループの安定性を確実にするために選択されるべきである。当業者にとって、クリッピング値を最適化する方法を考案することは可能である。所定の設計において決定されたＤｍａｘの最適値が非常に大きいため、効果的にクリッピングが信号に対して行うことができない場合、クリッパー２２２は使用されず、入力は直接出力へ行く。
【００６６】
図２に関して前述した実施形態において、ゲイン制御装置２０４と最適化スケーリング装置２１０は「ハードウェアの速い調節」を提供し、これにより、送信器の自動ゲイン制御信号Ｔｘ＿ＡＧＣの線形関数として、所望の送信電力Ｔｘ＿ｐｗｒと電力増幅器パラメータ信号ｙとの所望の関係に近づける。理想の関数は代わりに非線形であると示すことができる。
【００６７】
後述する代替の実施形態では、理想的な非線形関数に対して区分的（ｐｉｅｃｅｗｉｓｅ）な線形の近似は、ゲイン制御装置２０４の出力を変えることによって得られる。図３に示される代替の効率最適化装置３０４は、構成成分の大部分が図２の効率最適化装置１０４を共有する。しかし、信号変換器は区分クリッパー３１０である。区分クリッパー３１０の入出力伝達関数が例示的に図４に示されている。
【００６８】
これに代わる実施形態では、非線形マッパー２１８における検索テーブルの値は前述した方法と同じ方法で生成される。
【００６９】
区分クリッパー３１０のパラメータは、図７の方法と本質的に同じ構造を有する方法を用いて最適化され得る。この場合、Ｔｘ＿ｐｗｒとｙｄとの関係を所望の関係（すなわち、非線形マッパー２１８に格納されたようなＴｘ＿ｐｗｒとｙｉとの関係）に最適に適合させるために数個のパラメータが選択されることが要求される。
【００７０】
はじめに、フィードバックループは無効である（ステップ７０２）。フィードバックループは、初期値メモリ２２６で使用される初期値に等しい一定値をＡＣＣ  Ｄ／Ａ２２８に提供することによって無効であり得る。図４（ステップ７０４）に示されるような初期値セットが区分クリッパー３１０のパラメータ用に選択される。その後、初期のＴｘ＿ｐｗｒ値が選択される（ステップ７０６）。ｙｄ値、つまりアナログ電力増幅器パラメータ信号ｙのデジタル値は、選択されたＴｘ＿ｐｗｒ値に関連して記録される（ステップ７０８）。電力増幅器２１４からの送信電力出力の値もまた記録され、装置の出力電力のレンジ全体が考慮されたか否かが決定される（ステップ７１０）。
【００７１】
装置の出力電力のレンジ全体が考慮されていない場合、Ｔｘ＿ｐｗｒ値は増分され（ステップ７１２）、ｙｄとＴｘ＿ｐｗｒとの値は再度記録される（ステップ７０８）。装置の出力電力のレンジ全体が考慮された場合、Ｔｘ＿ｐｗｒ値と関連する電力増幅器パラメータ信号ｙのために決定されたデジタル値のテーブルが、非線形マッパー２１８の検索テーブルへの入力を最適化するときに作成される同様のテーブルと比較される。
【００７２】
区分クリッパー３１０を選択することでこれらのテーブルの差が最小化されたか否かが決定される（ステップ７１４）。その差が最小化されていない場合、新しい組のパラメータがテーブルの差に基づいて選択され（ステップ７１６）、電力増幅器パラメータをＴｘ＿ｐｗｒ値に関連付けるテーブルの作成（ステップ７０６、７０８、７１０、７１２）が繰り返される。その差が最小化された場合、その方法は完成したと考えられ、差を最小化したパラメータのセットはこの特定の装置に対する区分クリッパー３１０の最適なパラメータ値のセットであると考えられる。
【００７３】
第１のサンプル装置に対して電力レベルのレンジ全体が考慮されると、図７の方法はその他数台のサンプル装置に対して繰り返され得る。最適なパラメータ値セットは、本発明の局面を採用する製品を実施する際に使用するために、特徴付けられた装置の個々の最適値の中から最も活動的ではない値を選択することで得ることができる。
【００７４】
図５は、前述した２つの実施形態のいずれかと共に動作する、さらに別の実施形態を示し、送信電力生成器２０２の出力は送信電力加算器５０６を介して非線形マッパー２１８に供給される。データ符号器および変調器１０８（図１）は、サポートされた、データレート、データ符号化、およびワイヤレス通信装置１００の変調方法の組み合わせを固有に示すデータフォーマット／データレートの指標を生成し、これをここではデータ指標「ｒ」と呼ぶ。これまでに送信した信号のデータレートおよび／またはデータフォーマットの指標を提供し得るデータ指標ｒは、ＰＡＰＲマッパー５０２に受信されるため、ＰＡＰＲマッパー５０２の出力は、データ指標ｒに対応してデータレートおよび／またはデータフォーマットを有するデータ信号のＰＡＰＲ（平均電力に対するピーク電力の比）である。ＰＡＰＲマッパーからの出力はｄＢで表され得るかまたは、データ指標ｒによって示されるデータフォーマットのｄＢにおけるＰＡＰＲ値に比例し、Ｔｘ＿ｐｗｒ値のスケーリング要素と同じスケーリング要素を有する値で表され得る。送信電力加算器５０６は、Ｔｘ＿ｐｗｒ値とＰＡＰＲ（ｒ）値を加算し、これまでに送信したデータ信号へのピーク電力値を生成する。このピーク電力値は非線形マッパー２１８に提供される。この実施形態では、非線形マッパー２１８は前述したように平均電力Ｔｘ＿ｐｗｒの代わりに、ピーク電力の関数として理想的な電力増幅器パラメータ値を格納するために予め構成されている。
【００７５】
さらに別の代替の実施形態では、初期値メモリ２２６から供給される「初期値」は、ＡＣＣ  Ｄ／Ａ変換器２２８の出力レンジの中間値として事前に設定されるのではなく、自己で校正することによって決定される改善された初期値ｘｉであることができ、これを自己校正した初期値と呼ぶ。自己校正の方法は以下のように実施され得る。
【００７６】
製造時、自己校正した初期値ｘｉの初期値は、初期値メモリ２２６に格納される。初期値メモリ２２６における初期値は、前述したように、ＡＣＣ  Ｄ／Ａ変換器２２８の出力レンジの中間値のような事前に設定された値であるか、もしくは修正信号ｘの平均値を測定し、かつ多数の装置にかかる平均値を出すことによって得られる特徴づけられた値であり得る。ワイヤレス通信装置１００が電話を開始し得る。初めてワイヤレス通信装置１００が送信するときは、自己校正した初期値ｘｉの事前に格納された値が使用される。値ｘは送信中周期的にサンプリングされる。電話が終了するとき、サンプリングされた値は平均化され、ｘｍと示される平均値が計算され得る。自己校正した初期値ｘｉは、
ｘｉ（ｎｅｗ）＝ｘｉ（ｏｌｄ）＋a（ｘｍ−ｘｉ（ｏｌｄ））
とアップデートされ得る。ここで、aは小さい正の量である。
【００７７】
自己校正した初期値をアップデートする方法は、電話が完了する度に実施され得る。改善された初期値ｘｉは、電話毎のｘに対するよい初期推測を提供するものと考えられる。さらに、自己校正後、所定の装置が同様に製造された他の装置の自己校正した初期値から遠い自己校正した初期値ｘｉに収束した場合、所定の装置には問題があるものと考えることができる点で、自己校正した初期値は装置を診断する目的として使用され得る。
【００７８】
その他の変更は当業者にとって明白であり、本発明は請求項において定義される。
【００７９】
送信器の電力効率は、送信器の選択された状況、たとえば、送信器において電力増幅器パラメータを制御することをによって最適化される。状況を制御することは、所望の平均送信電力の生成された指標に基づく。この指標に基づいて、ハードウェアパスは第１の調節信号（ｙ）を生成し、ソフトウェアパスは第２の調節値（ｙｉ）を生成する。ここで、第２の調節値は、校正を通して所望の平均送信電力の特定の指標に対応するために予め決められている。第１の調節信号に基づく第１の調節値（ｙｄ）と第２の調節値との間の差は、修正信号（ｘ）を生成するために用いられる。修正信号は、第１の調節信号を変更し、かつ送信器の選択された状況を制御するために用いられる。
【図面の簡単な説明】
【００８０】
【図１】本発明の一局面が使用されるワイヤレス通信装置を示す図である。
【図２】本発明の第１の実施形態に従う、最適化スケーリング装置を使用する送信電力の効率最適化装置を示す図である。
【図３】本発明の第２の実施形態に従う、区分クリッパーを使用する送信電力の効率最適化装置を示す図である。
【図４】本発明の一実施形態に従う図３の装置において使用される、区分クリッパーの伝達関数を示す図である。
【図５】図２および図３の装置に対する任意の変更を示す図である。
【図６】図２および図３の装置のマッパー構成要素を決定する方法におけるステップを示す図である。
【図７】図２の最適化スケーリング装置または図３の区分クリッパーの一つもしくは複数のパラメータを決定する方法におけるステップを示す図である。
【符号の説明】
【００８１】
１００  ワイヤレス通信装置
１０２  送信器
１０４  効率最適化装置
１０６、１０７  アンテナ
１０８  チャンネル符号器および変調器
１１０  受信器
１１２  通信装置機能
２０２  送信電力生成器
２０４  ゲイン制御装置
２０６  ゲインＤ／Ａ変換器
２０８  ＡＧＣ増幅器
２１０  最適化スケーリング装置
２１２  調節信号加算器
２１４  電力増幅器
２１６  Ａ／Ｄ変換器
２１８  非線形マッパー
２２０  減算器
２２２  クリッパー
２２４  蓄積器
２２６  初期値メモリ
２２８  ＡＣＣ  Ｄ／Ａ変換器
２３０  プロセッサ
３０４  代替の効率最適化装置
３１０  区分クリッパー
５０２  ＰＡＰＲマッパー
５０４  さらに別の代替の効率最適化装置
５０６  送信電力加算器
【図１】
2005244996.tif 000003
【図２】
2005244996.tif 000004
【図３】
2005244996.tif 000005
【図４】
2005244996.tif 000006
【図５】
2005244996.tif 000007
【図６】
2005244996.tif 000008
【図７】
2005244996.tif 000009